(57)【特許請求の範囲】
【請求項１】
火炎が発する可視光を検知して火炎検知信号を出力する有極性のフォトダイオードと、ケーブルを介して上記フォトダイオードにその逆バイアスの駆動電圧を供給すると共に上記ケーブルを介して前記フォトダイオードにおける火炎検知信号によって変化する装置内の接点の電圧値に基づいて火炎の有無を判定する検出装置本体とを具備した火炎検出装置であって、
前記フォトダイオードによる出力電流の暗電流を加算する暗電流加算回路と、を備え、
前記暗電流加算回路は、火炎なしの状態において、前記ケーブルを介して前記フォトダイオードに駆動電圧が供給された時に、専ら、当該暗電流加算回路を介して電流を流すことにより前記ケーブルを介して前記フォトダイオードを見たときの暗電流を増加させるものであるとともに、
当該検出装置本体は、前記電圧値と第１の閾値とを比較して火炎の有無を判定するとともに、前記電圧値と第３の閾値とを比較して前記フォトダイオードの短絡を検出するものであり、前記第３の閾値は前記第１の閾値よりも低い電圧かつ前記フォトダイオードが最大の火炎検出信号を出力した場合の前記電圧値よりも小さい値であり、かつ前記暗電流加算回路を含む内部インピーダンスより低い内部インピーダンスに駆動電圧を印加した際に得られる電圧値未満としたことを特徴とする火炎検出装置。
【請求項２】
前記フォトダイオードと前記ケーブルとの間に直列に、前記半導体受光素子の極性を逆に接続した場合においては当該フォトダイオードへの前記駆動電圧の印加を遮断する逆接続防止用ダイオードを介挿すると共に、
前記検出装置本体は更に、前記電圧値と前記第２の閾値とを比較して前記フォトダイオードの逆接続を検出するものであり、前記第２の閾値は前記第１の閾値よりも高い電圧かつ前記フォトダイオードが、前記火炎が発する可視光を検知しない場合の前記電圧値よりも大きい値としたことものである請求項１に記載の火炎検出装置。
【請求項３】
前記フォトダイオードは、フォトダイオードと該フォトダイオードの出力を増幅する増幅器とを備えたものである請求項１又は２に記載の火炎検出装置。
【請求項４】
前記検出装置本体は、直列接続されて駆動電源に接続された第１および第２の抵抗器を備え、上記第１または第２の抵抗器の両端間に前記ケーブルを介して前記半導体受光素子を並列接続したものであって、
前記第１および第２の抵抗器により電源電圧を抵抗分割して前記半導体受光素子の駆動電圧を生成すると共に、前記第１の抵抗器と前記第２の抵抗器との接続点に生じる電圧を判定して火炎の有無を判定するものである請求項１又は２に記載の火炎検出装置。
【発明の詳細な説明】
【技術分野】
【０００１】
本発明は、火炎が発する可視光を検知する受光セルとして、フォトダイオード等の半導体受光素子を用いた火炎検出装置に関する。
【背景技術】
【０００２】
ガスバーナーやオイルバーナー等の火炎を検出してその燃焼（点火）制御に用いられる火炎検出装置は、例えば火炎が発する可視光を検知する受光セルを組み込んだセンサヘッドと、ケーブルを介して上記受光セルにその駆動電圧を供給すると共に上記ケーブルを介して上記受光セルによる火炎検知信号を検出して火炎の有無を判定する検出装置本体とを備えて構成される（例えば特許文献１,２を参照）。
【０００３】
ちなみにオイルバーナーは、例えば図４に示すように送風機１の送風口（ブラストチューブ）内に燃料噴射ノズル２を設けると共に、上記燃料噴射ノズル２のノズル口に近接させて点火電極３を設けて構成される。このようなオイルバーナーの火炎を検出してその燃焼を制御する為の火炎検出装置におけるセンサヘッド４は、例えば前記燃料噴射ノズル２の後方に位置して該燃料噴射ノズル２のノズル口に形成される火炎が発する可視光を検出するように設けられる。尚、センサヘッド４に組み込まれる受光セルとしては、従来より専らＣdＳセルが用いられている。
【０００４】
そしてオイルバーナーの燃焼制御は、図５にその点火制御シーケンスを示すように、バーナーの起動指令を受けて先ず送風機１を作動させた後に点火トランスを作動させて点火電極３にスパークを発生させ、スパークが安定した状態で燃料弁を開けることで前記燃料噴射ノズル２から噴射される燃料を着火する。そして燃料の燃焼による火炎が前記火炎検出装置にて検出された後、前記点火トランスの作動を停止することによりその点火制御が完了する（例えば特許文献３を参照）。
【特許文献１】特開平８−２６１４４３号公報
【特許文献２】特許第３２５５４４２号公報
【特許文献３】特開平６−２８８５４１号公報
【発明の開示】
【発明が解決しようとする課題】
【０００５】
ところで近年、ＲｏＨＳ（Restriction of Hazardous Substances；危険物質に関する制限）指令等の化学物質規制によりＣd（カドミウム）の使用が制限されている。このような事情から最近では火炎検出装置の受光セルとして、従来のＣdＳセルに代えてフォトダイオード等の半導体受光素子を用いることが試みられている。しかしながらＣdＳセルは無極性のものであるがＳiフォトダイオード等の半導体受光素子は有極性であり、駆動電源に対して正極と負極とを正しく接続することが必要である。ちなみに半導体受光素子を逆接続した場合には該半導体受光素子の動作が不安定となる上、その出力信号自体が不定となることが否めない。従って半導体受光素子の逆接続を確実に検出し、逆接続に起因する不具合を防ぐことが重要となる。
【０００６】
また半導体受光素子は、光に対する検出感度が高く、しかも受光強度に対する電流出力特性がリニアであり、暗黒（火炎なし）の状態においてはその出力電流が数ｎＡ程度と極めて小さいと言う出力特性を有している。この為、半導体受光素子を正しく接続したとしても、半導体受光素子が短絡故障している場合には火炎検出信号が得られないので、火炎検出信号が得られない理由が、暗黒（火炎なし）の状態であるか、或いは短絡故障しているのかを判定することができないと言う問題がある。
【０００７】
本発明はこのような事情を考慮したもので、その目的は、受光セルとしてフォトダイオード等の半導体受光素子を用いた火炎検出装置であって、特に半導体受光素子の逆接続を確実に検出すると共に、逆接続に起因する不具合を防止することができ、更には半導体受光素子の短絡故障を検出する機能を備えた簡易な構成の火炎検出装置を提供することにある。
【課題を解決するための手段】
【０００８】
上述した目的を達成するべく本発明に係る火炎検出装置は、火炎が発する可視光を検知して火炎検知信号を出力する有極性のフォトダイオードと、ケーブルを介して上記フォトダイオードにその逆バイアスの駆動電圧を供給すると共に上記ケーブルを介して前記フォトダイオードにおける火炎検知信号によって変化する装置内の接点の電圧値に基づいて火炎の有無を判定する検出装置本体とを具備した火炎検出装置であって、前記フォトダイオードによる出力電流の暗電流を加算する暗電流加算回路と、を備え、前記暗電流加算回路は、火炎なしの状態において、前記ケーブルを介して前記フォトダイオードに駆動電圧が供給された時に、専ら、当該暗電流加算回路を介して電流を流すことにより前記ケーブルを介して前記フォトダイオードを見たときの暗電流を増加させるものであるとともに、当該検出装置本体は、前記電圧値と第１の閾値とを比較して火炎の有無を判定するとともに、前記電圧値と第３の閾値とを比較して前記フォトダイオードの短絡を検出するものであり、前記第３の閾値は前記第１の閾値よりも低い電圧かつ前記フォトダイオードが最大の火炎検出信号を出力した場合の前記電圧値よりも小さい値であり、かつ前記暗電流加算回路を含む内部インピーダンスより低い内部インピーダンスに駆動電圧を印加した際に得られる電圧値未満としたことを特徴としている。
【０００９】
また、前記半導体受光素子と前記ケーブルとの間に直列に、前記半導体受光素子の極性を逆に接続した場合においては当該半導体受光素子への前記駆動電圧の印加を遮断する逆接続防止用ダイオードを介挿すると共に、前記検出装置本体は更に、前記電圧値と前記第２の閾値とを比較して前記半導体受光素子の逆接続を検出するものであり、前記第２の閾値は前記第１の閾値よりも高い電圧かつ前記半導体受光素子が、前記火炎が発する可視光を検知しない場合の前記電圧値よりも大きい値とするようにしてもよい。ちなみに前記半導体受光素子として、例えばフォトダイオードと該フォトダイオードの出力を増幅する増幅器とを一体に備えたものを用いることが好ましい。また前記検出装置本体は、例えば直列接続されて駆動電源に接続された第１および第２の抵抗器を備え、上記第１または第２の抵抗器の両端間に前記ケーブルを介して前記半導体受光素子を並列接続したものであって、前記第１および第２の抵抗器により電源電圧を抵抗分割して前記半導体受光素子の駆動電圧を生成すると共に、前記第１の抵抗器と前記第２の抵抗器との接続点に生じる電圧を判定して火炎の有無を判定するものからなることを特徴としている。
【発明の効果】
【００１０】
このように構成された火炎検出装置によれば、前記検出装置本体に前記火炎の有無を判定する第１の閾値に加えて、前記半導体受光素子の逆接続および短絡をそれぞれ判定する第２および第３の閾値を設定し、これらの第２および第３の閾値と検出電圧との比較により半導体受光素子の逆接続状態や該半導体受光素子の短絡故障状態をそれぞれ判定することができるので、半導体受光素子からの火炎検出信号が検出されない状態を以て、これを「火炎なし」と誤判定することがなくなる等の効果が奏せられる。また、前記半導体受光素子と前記ケーブルとの間に逆接続防止用ダイオードを直列に介挿しているので、検出装置本体（駆動電源）に半導体受光素子を逆接続しても該半導体受光素子を確実に保護することができ、また半導体受光素子の不安定な動作を防ぐことができる。
【発明を実施するための最良の形態】
【００１１】
以下、図面を参照して本発明の一実施形態に係る火炎検出装置について説明する。
図１は実施形態に係る火炎検出装置の要部概略構成を示している。図１において１０は火炎が発する可視光を検出する受光セルとしての半導体受光素子（例えばＳiフォトダイ
オード）１１を組み込んで構成されるセンサヘッドであり、２０はケーブル３０を介して上記半導体受光素子１１にその駆動電圧を供給すると共に上記ケーブル３０を介して前記半導体受光素子１１による火炎検知信号を検出して火炎の有無を判定する検出装置本体である。
【００１２】
検出装置本体２０は、例えば直列接続されて駆動電源に接続される第１および第２の固定抵抗２１,２２を備え、例えば接地側の第２の固定抵抗２２の両端間にケーブル３０を
介して半導体受光素子１１を並列接続して構成される。上記第１および第２の固定抵抗２１,２２は電源電圧Ｖcを分圧して前記半導体受光素子１１の駆動電圧Ｖdを生成し、この
駆動電圧Ｖdを前記ケーブル３０を介して出力する役割を担うと共に、後述するように前記半導体受光素子１１の出力（火炎検知信号）に応じて前記第１の固定抵抗２１と第２の固定抵抗２２との接続点における電圧を変化させる役割を担う。換言すれば半導体受光素子１１は、ケーブル３０を介して前記第２の固定抵抗２２に並列接続されている。そして半導体受光素子１１は、火炎が発する可視光を受光して火炎検出信号を出力し、これに伴うインピーダンスの変化により前記固定抵抗２１,２２の接続点における電圧を変化させ
るものとなっている。
【００１３】
また前記半導体受光素子１１の出力（火炎検知信号）を検出する検出装置本体２０における火炎検出部２３は、例えばマイクロコンピュータからなり、前記固定抵抗２１,２２の接続点に生じる電圧の変化から前記半導体受光素子１１による火炎検知信号の有無を判定するように構成される。特にこの火炎検出部２３は、前記固定抵抗２１,２２の接続点に生じる電圧を予め設定した判定閾値電圧Ｖthと比較することで火炎の有無を検出するように構成される。
【００１４】
尚、火炎検出の制御対象がオイルバーナーである場合、上記検出装置本体２０にはオイルバーナーにおける送風機３１、点火トランス（点火電極）３２、および燃料弁（燃料噴射ノズル）３３の各動作を火炎の有無により制御する燃焼制御装置２４が設けられる。この燃焼制御装置２４は、前述した火炎検出部２３を構成するマイクロコンピュータが有する機能の一部として実現しても良いことは言うまでもない。
【００１５】
さて基本的には上述したように、火炎が発する可視光を検出する受光素子として半導体受光素子、例えばＳiフォトダイオード１１を用いた火炎検出装置において、本発明が特徴とするところは、図１にその実施形態を示すように前記Ｓiフォトダイオード１１の直近であるセンサヘッド１０に、暗電流加算回路１２およびフィルタ回路１３をそれぞれ組み込むと共に、前記Ｓiフォトダイオード１１と直列に逆接続防止用ダイオード１４を介挿したことを特徴としている。
【００１６】
尚、前記Ｓiフォトダイオード１１として、ここではフォトダイオード１１にその負荷抵抗１１ａと、その出力電流を増幅する増幅器１１ｂとを一体に設けた、いわゆる複合型のフォトＩＣを用いた例について示している。しかし負荷抵抗１１ａおよび増幅器１１ｂをそれぞれ単体部品としてフォトダイオード１１に組み付けることも勿論可能である。また前記暗電流加算回路１２は、例えば前記Ｓiフォトダイオード１１に対して並列接続した固定抵抗からなる。更に前記フィルタ回路１３は、抵抗１３ａとコンデンサ１３ｂ,１３ｃとを組み合わせて構築されるパッシブ形の低域通過フィルタからなる。このフィルタ回路１３は、フォトダイオード１１による火炎検知信号を遅延して前記ケーブル３０に出力する役割を担うと共に、前記ケーブル３０に重畳するノイズによる前記フォトダイオード１１の誤動作を防止する機能、つまりノイズ除去機能を担う。
【００１７】
ここで先ず、上述した暗電流加算回路１２について説明する。受光セルとして用いる半導体受光素子（フォトダイオード）１１は、従来一般的なＣdＳセルに比較してその応答速度が数ｍ秒と速く、しかもその受光強度（照度）に対して図２に特性Ａとして示すように略リニアな出力電流特性を有している。そして受光強度が低い場合、特に暗黒（火炎なし）の場合における出力電流は数ｎＡ程度と非常に少なく、火炎が発する可視光を受けてその受光強度が高まるに従って出力電流が増大する。このような出力電流特性は、一般的な計測用途においては計測誤差を低減する上で非常に好ましい。
【００１８】
しかしながら上述した出力電流特性は、換言すれば暗黒（火炎なし）の場合における半導体受光素子（フォトダイオード）１１のインピーダンスが極めて高いことを意味する。そしてケーブル３０を介して上記半導体受光素子（フォトダイオード）１１を検出器本体２０に接続する構成の火炎検出装置においては、半導体受光素子（フォトダイオード）１１のインピーダンスが高いとき、ケーブル３０の引き回し（配線）によってノイズの影響を受け易くなり、誤検出の要因となることが否めない。即ち、半導体受光素子（フォトダイオード）１１のインピーダンスが高い状態（暗黒状態）においては、ケーブル３０に重畳する僅かなノイズだけで、該ケーブル３０を介して検出する上記半導体受光素子（フォトダイオード）１１の出力が大きく変動してしまう。しかも前述したように半導体受光素子（フォトダイオード）１１自体が、送風機３１や点火トランス（点火電極）３２等のノイズ発生源の近傍に配置されることが多い。
【００１９】
そこでこの火炎検出装置においては、半導体受光素子（フォトダイオード）１１の直近において該半導体受光素子（フォトダイオード）１１に対して並列に固定抵抗を接続し、検出装置本体２０側からケーブル３０を介して前記半導体受光素子（フォトダイオード）１１を見たときの暗黒時におけるインピーダンスを意図的に低くし、これによって外来ノイズの影響を受け難いものとしている。具体的には図１に示したように半導体受光素子（フォトダイオード）１１の直近において該半導体受光素子（フォトダイオード）１１に対して暗電流加算回路１２としての固定抵抗を並列接続し、その上で上記半導体受光素子（フォトダイオード）１１をケーブル３０を介して検出装置本体２０に接続するようにしている。
【００２０】
このようにして半導体受光素子（フォトダイオード）１１に並列接続した固定抵抗によれば、該固定抵抗の抵抗値に比較して半導体受光素子（フォトダイオード）１１のインピーダンスが高い場合には、ケーブル３０を介して半導体受光素子（フォトダイオード）１１に駆動電圧Ｖdを加えたとき、専ら、上記固定抵抗を介して電流が流れる。そして半導体受光素子（フォトダイオード）１１のインピーダンスが低くなるに従って該半導体受光素子（フォトダイオード）１１の出力電流が増えることになる。すると暗黒時においても図２に出力電流特性Ｂに示すようにケーブル３０を介して或る程度の電流が流れることになり、ケーブル３０を介して前記半導体受光素子（フォトダイオード）１１を見たときの暗電流を増大させることが可能となる。そして前述したように半導体受光素子（フォトダイオード）１１に並列接続した固定抵抗は、見掛け上、該半導体受光素子（フォトダイオード）１１の暗電流を加算し、暗黒時における半導体受光素子（フォトダイオード）１１のインピーダンスを低減する作用を呈することになる。
【００２１】
この結果、暗黒時においても半導体受光素子（フォトダイオード）１１のインピーダンスを或る程度低く抑えることができるので、仮にケーブル３０がノイズ発生源の近傍に配設される場合であっても、ノイズの混入を抑えることができる。そして該ケーブル３０を介して検出する上記半導体受光素子（フォトダイオード）１１の出力の、ノイズの混入による誤検出を効果的に防止することが可能となる。
【００２２】
尚、上述した固定抵抗に代えて前述した増幅器１１ｂの利得を半導体受光素子（フォトダイオード）１１の出力に応じて可変し、暗黒時における増幅器１１ｂの出力を増大させるように暗電流加算回路１２を構成することも可能である。この場合には、例えば半導体受光素子（フォトダイオード）１１の出力に応じて増幅器１１ｂのバイアスを可変し、これによってその電流出力特性（利得）を変化させるようにすれば良い、或いはママイクロプロセッサやＡ／Ｄ変換器を用いて半導体受光素子（フォトダイオード）１１の出力をデジタル変換した後、その信号をケーブル３０を介して伝送するような場合には、上記半導体受光素子（フォトダイオード）１１の出力に応じてそのＡ／Ｄ変換特性自体を可変することも可能である。
【００２３】
ところで上述した如く半導体受光素子（フォトダイオード）１１の出力に暗電流成分を加算することでその誤検出の防止対策を施しても、ケーブル３０に外来ノイズが重畳することは否めない。しかも半導体受光素子（フォトダイオード）１１は外来ノイズに弱く、ノイズによって半導体受光素子（フォトダイオード）１１自体がラッチアップ等の誤動作を起こし易い。
【００２４】
そこでこの火炎検出装置においては、半導体受光素子（フォトダイオード）１１の直近にフィルタ回路１３を設け、ケーブル３０を介して加わる外来ノイズから上記半導体受光素子（フォトダイオード）１１におけるラッチアップ等の誤動作を防止するようにしている。同時に上記フィルタ回路１３により、半導体受光素子（フォトダイオード）１１からケーブル３０を介して出力される火炎検知信号を遅延し、これによって火炎のゆらぎ等に起因する半導体受光素子（フォトダイオード）１１の不本意な応答成分を除去するものとなっている。即ち、前述したように半導体受光素子（フォトダイオード）１１の応答特性は従前のＣdＳセルに比較して非常に早く、火炎のゆらぎによってその可視光の強度が僅かに変動するだけで、その受光強度の変化に敏感に応答する。これ故、僅かな火炎のゆらぎにより半導体受光素子（フォトダイオード）１１の出力（火炎検知信号）が低下するだけでも、これを消炎として誤検出する虞がある。
【００２５】
このような不具合を防止するべく、この火炎検出装置においては上述しように半導体受光素子（フォトダイオード）１１の直近にフィルタ回路１３を設けることで、高速に応答する前記半導体受光素子（フォトダイオード）１１の出力（火炎検知信号）を遅延し、これによって火炎検出信号の応答波形をなまらせた後、ケーブル３０に出力するものとなっている。換言すればフィルタ回路１３により、半導体受光素子（フォトダイオード）１１の見掛け上の応答特性を遅くしている。また上記フィルタ回路１３により、前述した点火トランス等のライズ発生源から前記ケーブル３０に重畳したスパイクノイズ等の外来ノイズを除去し、上記半導体受光素子（フォトダイオード）１１の動作安定化を図るものとなっている。
【００２６】
この結果、検出装置本体２０側においては、動作が安定化された状況下における半導体受光素子（フォトダイオード）１１からの出力（火炎検知信号）の変化を、火炎のゆらぎの影響を受けることのない緩やかな応答信号として検出することが可能となり、従って火炎検出を安定に行うことが可能となる。特にフィルタ回路１３を半導体受光素子（フォトダイオード）１１の直近に設けることで、ノイズによる半導体受光素子（フォトダイオード）１１の誤動作防止機能と、該半導体受光素子（フォトダイオード）１１の応答性の改善とを同時の実現することができる。
【００２７】
ところで上述したセンサヘッド１０、つまり半導体受光素子（フォトダイオード）１１と検出装置本体２０とは、単に２芯のケーブル３０を介して接続されるだけである。これ故、検出装置本体２０に対して半導体受光素子（フォトダイオード）１１を逆接続してしまう可能性がある。ちなみに従来のＣdＳセルは無極性であるので、検出装置本体２０に対する接続極性は問題とならない。しかし半導体受光素子（フォトダイオード）１１を逆接続すると、該半導体受光素子（フォトダイオード）１１の動作が不安定となる上、その出力信号自体が不定となる。
【００２８】
そこでこの火炎検出装置においては、半導体受光素子（フォトダイオード）１１の直近に逆接続防止用のダイオード１４を直列に介挿すると共に、検出装置本体２０に半導体受光素子（フォトダイオード）１１の逆接続検出機能および該半導体受光素子（フォトダイオード）１１の短絡故障検出機能を設けている。この逆接続検出機能および短絡故障検出機能は、前述した第１および第２の固定抵抗２１,２２の接続点に生じる電圧を、予め設定した閾値と比較する機能からなり、上記閾値は後述するように火炎の有無を判定する閾値とは別に設定される。
【００２９】
即ち、この火炎検出装置においては半導体受光素子（フォトダイオード）１１とケーブル３０との間に逆接続防止用のダイオード１４を直列に介挿することで、逆接続時には半導体受光素子（フォトダイオード）１１に検出装置本体２０側からの駆動電圧Ｖdが加わらないようにし、これによって半導体受光素子（フォトダイオード）１１の動作自体を禁止し、不本意な出力（火炎検出信号）が得られないようにしている。換言すれば半導体受光素子（フォトダイオード）１１を逆接続した場合には、該半導体受光素子（フォトダイオード）１１からの出力を零［０］とし、これによって常に「火炎なし」の検出状態となるようにしている。
【００３０】
更にこの火炎検出装置においては、上述したように逆接続防止用のダイオード１４を設けたことと相俟って、前記検出装置本体２０に火炎の有無を判定する機能に加えて、半導体受光素子（フォトダイオード）１１の逆接続検出機能および短絡故障検出機能を設けている。上記逆接続検出機能および短絡故障検出機能は、図３に示すように前記第１および第２の固定抵抗２１,２２の接続点に生じる電圧Ｖinから火炎の有無を判定する閾値がＶth１として与えられるとき、該閾値Ｖth１よりも高い電圧として設定された逆接続検出用閾値Ｖth２、上記閾値Ｖth１よりも低い電圧として設定された短絡検出用閾値Ｖth３として与えられる。
【００３１】
検出装置本体２０にケーブル３０を介して半導体受光素子（フォトダイオード）１１を接続しないとき、前述した第１および第２の固定抵抗２１,２２の接続点に生じる電圧Ｖdを５Ｖとすると、該検出装置本体２０にケーブル３０を介して正常に半導体受光素子（フォトダイオード）１１を接続した場合には、暗黒（火炎なし）の状態においては前述した暗電流加算回路１２により加算された暗電流分だけ前記ケーブル３０からセンサヘッド１０を介して電流が流れるので、上記第１および第２の固定抵抗２１,２２の接続点に生じる電圧Ｖinは、上記電圧Ｖdよりも若干低くなる。即ち、第２の固定抵抗２２に対して上記暗電流の加算分だけ前記半導体受光素子（フォトダイオード）１１が並列に作用するので、その検出電圧Ｖinは駆動電圧Ｖdよりも若干低くなる。
【００３２】
そして火炎による可視光を検出して半導体受光素子（フォトダイオード）１１が火炎検出信号を出力し、そのインピーダンスが低下すると、これに伴って第１および第２の固定抵抗２１,２２の接続点に生じる電圧Ｖinが更に低下する。前述した火炎の有無を判定する閾値Ｖth１は、このような受光の有無による検出電圧Ｖinの変化を弁別し得る電圧値として設定される。
【００３３】
これに対して半導体受光素子（フォトダイオード）１１を逆接続した場合には、前述した逆接続防止用のダイオード１４によって半導体受光素子（フォトダイオード）１１、ひいてはセンサヘッド１０への電流供給自体が遮断されるので、前述した暗電流加算回路１２が機能することがなく、従って暗黒（火炎なし）の状態においても第１および第２の固定抵抗２１,２２の接続点に生じる検出電圧Ｖinが前述した駆動電圧Ｖdから低下することがない。前述した逆接続検出用閾値Ｖth２は、このような逆接続の有無によって変化する検出電圧Ｖinの違いを弁別し得る電圧値として設定される。そして逆接続した状態においては、火炎が存在しても半導体受光素子（フォトダイオード）１１自体が作動することがないのでその出力が得られず、従って駆動電圧Ｖdに張り付いた検出電圧Ｖinが変化することはない。従ってこのような状態を上記逆接続検出用閾値Ｖth２の下で判定することによりセンサヘッド１０、つまり半導体受光素子（フォトダイオード）１１の逆接続を検出することが可能となる。
【００３４】
また検出装置本体２０に半導体受光素子（フォトダイオード）１１を正常に接続している場合、該半導体受光素子（フォトダイオード）１１が正常に機能している限り前述した暗電流加算回路１２を含む内部インピーダンスが存在するので、半導体受光素子（フォトダイオード）１１が最大の火炎検出信号（電流）を出力したとしても、前記第１および第２の固定抵抗２１,２２の接続点に生じる検出電圧Ｖinが０Ｖまで低下することはない。しかし半導体受光素子（フォトダイオード）１１が短絡故障すると、暗電流加算回路１２の存在に拘わることなく逆接続防止用のダイオード１４を介して第２の固定抵抗２２の両端間が短絡されることになるので、第１および第２の固定抵抗２１,２２の接続点に生じる検出電圧Ｖinが０Ｖまで一気に低下する。前述した短絡故障検出用閾値Ｖth３は、このような半導体受光素子（フォトダイオード）１１の短絡故障の有無によって変化する検出電圧Ｖinの違いを弁別し得る電圧値として設定される。
【００３５】
かくして検出装置本体２０に、上述したようにして第１および第２の固定抵抗２１,２２の接続点に生じる電圧Ｖinから、火炎の有無を判定すると共に、半導体受光素子（フォトダイオード）１１の逆接続および短絡故障をそれぞれ判定する機能を設けることで、火炎検出装置の動作信頼性を確認しながら火炎検出を確実に実行することが可能となる。従ってオイルバーナー等の燃焼制御を信頼性良く安定に実行することが可能となる。
【００３６】
尚、本発明は上述した実施形態に限定されるものではない。例えば前述した第１〜第３の閾値電圧Ｖth１,Ｖth２,Ｖth３については、半導体受光素子（フォトダイオード）１１の出力特性やその駆動条件等に応じてそれぞれ定めれば良いものである。また逆接続防止用のダイオード１４の挿入位置を正極電源ラインとしても良いことは勿論のことである。また受光セルとしてＳi以外の他の半導体受光素子を用いたものを適宜採用した場合にも同様に適用することができる。その他、本発明はその要旨を逸脱しない範囲で種々変形して実施することができる。
【図面の簡単な説明】
【００３７】
【図１】本発明の一実施形態に係る火炎検出装置の概略構成図。
【図２】半導体受光素子（フォトダイオード）の受光強度に対する出力電流特性を示す図。
【図３】火炎検出電圧Ｖinに対する火炎判定閾値Ｖth１、逆接続判定閾値Ｖth２、短絡検出閾値Ｖth３の関係を示す図。
【図４】ガスバーナーの概略構成と火炎検出装置のセンサヘッドの取り付け部位との関係を示す図。
【図５】ガスバーナーにおける点火制御シーケンスの例を示す図。
【符号の説明】
【００３８】
１０  センサヘッド
１１  半導体受光素子（フォトダイオード）
１１ａ  負荷抵抗
１１ｂ  増幅器
１２  暗電流加算回路
１３  フィルタ回路
１４  逆接続防止用ダイオード
２０  検出装置本体
２１,２２  固定抵抗
２３  火炎検出部
２４  燃焼制御装置
３０  ケーブル
【図１】
0005580770.tif 000002
【図２】
0005580770.tif 000003
【図３】
0005580770.tif 000004
【図４】
0005580770.tif 000005
【図５】
0005580770.tif 000006